【手続補正書】
【提出日】令和2年6月8日(2020.6.8)
【手続補正１】
【補正対象書類名】特許請求の範囲
【補正対象項目名】全文
【補正方法】変更
【補正の内容】
【特許請求の範囲】
【請求項１】
流れ誘起ノイズ源特定用のシステムであって、
物理空間を表す体積内で流体流れを表現するデータを処理するノイズ源特定用のデータ処理システムを備え、
前記データ処理システムは、
１以上の処理デバイスと、１以上のハードウェア記憶デバイスと、
を含み、
１以上のハードウェア記憶デバイスは、
前記１以上の処理デバイスによって実行された場合に、前記１以上の処理デバイスに対して、操作を実行させるように動作可能な命令を格納し、
前記操作は、
物理空間を表す体積内で流体の活動をシミュレートするステップであって、前記体積内の前記流体の前記活動は、前記体積内の要素の移動をモデル化するためにシミュレートされるステップと、
前記流体流れシミュレーションの第１の時点で生じる、前記流体流れによってモデル化された過渡的な乱流の中で第１の組の渦を特定するステップと、
前記流体流れシミュレーションの次の第２の時点で生じる、前記過渡的な乱流中に第２の組の渦を特定するステップと、
前記第１の組の離散渦と前記第２の組の離散渦とを比較することによって、前記渦の変化を追跡するステップと、
前記追跡に基づいて複数のノイズ源を特定するステップと、
前記体積内の所定の位置であるレシーバ位置においてノイズがもたらされる際の、レシーバ位置に置いて生じる複数のノイズ源の寄与を決定するステップと、
ディスプレイデバイスに表示され、前記体積中、かつ、前記レシーバ位置へのノイズ源の分布を示すデータを出力するステップと、を含む、ことを特徴とするシステム。
【請求項２】
前記寄与を決定するステップは、
伝達関数を前記複数のノイズ源の各々に適用するステップを含み、前記伝達関数は、前記ノイズ源のそれぞれの位置と前記レシーバの前記所定の位置との間の関係に基づいて前記寄与を決定する、請求項１に記載のシステム。
【請求項３】
前記複数のノイズ源の各々に適用される前記伝達関数は周波数依存伝達関数である、請求項２に記載のシステム。
【請求項４】
前記複数のノイズ源のうちの少なくともいくつかを結合して１又は２以上のノイズ源のクラスタにするステップをさらに含み、前記ノイズ源は、少なくとも部分的に、前記ノイズ源のそれぞれの前記寄与に基づいてクラスタ化される、請求項１に記載のシステム。
【請求項５】
前記１又は２以上のノイズ源の寄与の各々の強度を、前記クラスタに含まれるものに対する閾値と比較するステップをさらに含む、請求項４に記載のシステム。
【請求項６】
前記受け手は、録音デバイス又はヒトの耳に対応する位置に設置される、請求項１に記載のシステム。
【請求項７】
前記結合に続いて、前記１又は２以上の音生成流れ領域に伝達関数を適用するステップをさらに含む、請求項１に記載のシステム。
【請求項８】
前記１又は２以上のノイズ源の各々の強度を閾値と比較するステップと、前記閾値未満の強度を有する少なくとも１つのノイズ源を除外するステップと、をさらに含む、請求項７に記載のシステム。
【請求項９】
前記複数のノイズ源は、ノイズ源の第１の組であり、
前記システムは、前記物理空間の内部又はその周囲の異なる物理的条件に対応する第２のシミュレーションに基づいて、１又は２以上のノイズ源の第２の組を決定するステップをさらに含む、請求項１に記載のシステム。
【請求項１０】
前記１又は２以上のノイズ源のうちの前記複数を結合して前記１又は２以上のクラスタにするステップにより、前記システムの処理性能を向上する、請求項４に記載のシステム。
【請求項１１】
設計変更のために、前記特定された領域に基づいて１又は２以上の物理的対象物に物理的な修正をもたらすステップをさらに含む、請求項１に記載のシステム。
【請求項１２】
前記物理的な修正に基づいて物理的対象物を構築するステップをさらに含む、請求項１０に記載のシステム。
【請求項１３】
前記１又は２以上のノイズ源の前記寄与を最小限に抑えるように設計変更を最適化するステップをさらに含む、請求項１２に記載のシステム。
【請求項１４】
物理空間を表す体積内で流体の活動をシミュレートするコンピュータに実装された方法であって、前記体積内の前記流体の前記活動は、前記体積内の要素の移動をモデル化するためにシミュレートされ、前記方法は、
前記流体流れシミュレーションの第１の時点で生じる、前記流体流れによってモデル化された過渡的な乱流の中で第１の組の渦を特定するステップと、
前記流体流れシミュレーションの次の第２の時点で生じる、前記過渡的な乱流中に第２の組の渦を特定するステップと、
前記第１の組の離散渦と前記第２の組の離散渦とを比較することによって、前記渦の変化を追跡するステップと、
前記追跡に基づいて１又は２以上のノイズ源を特定するステップと、
前記体積内の所定の位置であるレシーバ位置においてノイズがもたらされる際の、前記１又は２以上のノイズ源の前記レシーバの位置において生じる寄与を決定するステップと、
ディスプレイデバイスに表示され、前記体積中、かつ、前記レシーバ位置へのノイズ源の分布を示すデータを出力するステップと、
を含む方法。
【請求項１５】
前記寄与を決定するステップは、
伝達関数を少なくとも１つのノイズ源に適用するステップを含み、前記伝達関数は、前記ノイズ源の位置と前記レシーバの位置との間の関係に基づいて前記寄与を決定する、請求項１４に記載のコンピュータ実行式方法。
【請求項１６】
前記複数のノイズ源の各々に適用される前記伝達関数は周波数依存伝達関数である、請求項１５に記載のコンピュータ実行式方法。
【請求項１７】
前記１又は２以上のノイズ源のうちの少なくともいくつかを結合して１又は２以上のクラスタにするステップをさらに含み、前記ノイズ源は、少なくとも部分的に、前記１又は２以上のノイズ源の前記寄与に基づいてクラスタ化される、請求項１４に記載のコンピュータに実装された方法。
【請求項１８】
前記１又は２以上のノイズ源の寄与の各々の強度を閾値と比較するステップと、前記閾値未満の強度を有する少なくとも１つのノイズ源を除外するステップと、をさらに含む、請求項１７に記載のコンピュータに実装された方法。
【請求項１９】
前記レシーバは、録音デバイス又はヒトの耳に対応する位置に設置される、請求項１４に記載のコンピュータに実装された方法。
【請求項２０】
前記結合に続いて、前記１又は２以上の音生成流れ領域に伝達関数を適用するステップをさらに含む、請求項１４に記載のコンピュータに実装された方法。
【請求項２１】
前記１又は２以上のノイズ源の各々の強度を閾値と比較するステップと、前記閾値未満の強度を有する少なくとも１つのノイズ源を除外するステップと、をさらに含む、請求項１８に記載のコンピュータに実装された方法。
【請求項２２】
前記複数のノイズ源は、ノイズ源の第１の組であり、
前記システムは、前記物理空間の内部又はその周囲の異なる物理的条件に対応する第２のシミュレーションに基づいて、１又は２以上のノイズ源の第２の組を決定するステップをさらに含む、請求項１４に記載のコンピュータに実装された方法。
【請求項２３】
前記１又は２以上のノイズ源のうちの前記複数を結合して前記１又は２以上のクラスタにするステップにより、前記コンピュータに実装された方法の処理性能を向上する、請求項１８に記載のコンピュータに実装された方法。
【請求項２４】
設計変更のために、前記特定された領域に基づいて1又は２以上の物理的対象物に物理的な修正をもたらすステップをさらに含む、請求項１４に記載のコンピュータに実装された方法。
【請求項２５】
前記物理的な修正に基づいて物理的対象物を構築するステップをさらに含む、請求項２４に記載のコンピュータに実装された方法。
【請求項２６】
前記１又は２以上のノイズ源の前記寄与を最小限に抑えるように設計変更を最適化するステップをさらに含む、請求項２５に記載のコンピュータに実装された方法。
【請求項２７】
流れ誘起ノイズ源特定用のコンピュータの読み取り可能な非一時的記憶媒体に記憶されたコンピュータプログラム製品であって、当該コンピュータプログラム製品はシステムに、
物理空間を表す体積内で流体の活動をシミュレートすることであって、前記体積内の前記流体の前記活動は、前記体積内の要素の移動をモデル化するためにシミュレートされることと、
前記流体流れシミュレーションの第１の時点生じる、前記流体流れによってモデル化された過渡的な乱流の中で第１の組の渦を特定することと、
前記流体流れシミュレーションの次の第２の時点で生じる、前記過渡的な乱流中に第２の組の渦を特定することと、
前記第１の組の離散渦と前記第２の組の離散渦とを比較することによって、前記渦の変化を追跡することと、
前記追跡に基づいて複数のノイズ源を特定することと、
前記体積内の所定の位置であるレシーバ位置においてノイズがもたらされる際の、レシーバ位置に置いて生じる複数のノイズ源の寄与を決定することと、
ディスプレイデバイスに表示され、前記体積中、かつ、前記レシーバ位置へのノイズ源の分布を示すデータを出力することと、
を実行させる命令を含む、ことを特徴とするコンピュータプログラム製品。
【請求項２８】
前記レシーバ寄与を決定する命令は、
伝達関数を前記複数のノイズ源の各々に適用する命令を含み、前記伝達関数は、前記ノイズ源のそれぞれの位置と前記レシーバの前記所定の位置との間の関係に基づいて前記寄与を決定する、請求項２７にコンピュータプログラム製品。
【請求項２９】
前記伝達関数を適用する命令は、前記伝達関数を周波数依存伝達関数である前記複数のノイズ源のそれぞれに適用する、請求項２７にコンピュータプログラム製品。
【請求項３０】
前記複数のノイズ源のうちの少なくともいくつかを結合して１又は２以上のノイズ源のクラスタにする命令をさらに含み、前記ノイズ源は、少なくとも部分的に、前記ノイズ源のそれぞれの前記寄与に基づいてクラスタ化される、請求項２７にコンピュータプログラム製品。
【請求項３１】
前記１又は２以上のノイズ源の寄与の各々の強度を、前記クラスタに含まれるものに対する閾値と比較する命令をさらに含む、請求項３０にコンピュータプログラム製品。
【請求項３２】
前記１又は２以上のノイズ源の各々を閾値と比較し、前記閾値未満の強度を有する少なくとも１つのノイズ源を除外する命令をさらに含み、請求項３１にコンピュータプログラム製品。
【請求項３３】
前記結合に続いて、前記１又は２以上の音生成流れ領域に伝達関数を適用する命令をさらに含む、請求項３０にコンピュータプログラム製品。
【請求項３４】
前記複数のノイズ源は、ノイズ源の第１の組であり、
前記コンピュータプログラム製品は、前記物理空間の内部又はその周囲の異なる物理的条件に対応する第２のシミュレーションに基づいて、１又は２以上のノイズ源の第２の組を決定する命令をさらに含む、請求項２７にコンピュータプログラム製品。
【請求項３５】
データ処理システムを含むシステムであって、
前記データ処理システムは、１以上の処理デバイスと、１つ以上のハードウェア記憶デバイスとを含み、
前記１以上のハードウェア記憶デバイスは実行可能なコンピュータ命令を格納し、
前記実行可能なコンピュータ命令は、前記１以上の処理デバイスによって実行された場合に、前記１以上の処理デバイスに、
物理空間を表す体積内で流体の活動をシミュレートすることであって、前記体積内の前記流体の前記活動は、前記体積内の要素の移動をモデル化するためにシミュレートされることと、
前記流体流れシミュレーションの第１の時点生じる、前記流体流れによってモデル化された過渡的な乱流の中で第１の組の渦を特定することと、
前記流体流れシミュレーションの次の第２の時点で生じる、前記過渡的な乱流中に第２の組の渦を特定することと、
前記第１の組の離散渦と前記第２の組の離散渦とを比較することによって、前記渦の変化を追跡することと、
前記追跡に基づいて複数のノイズ源を特定することと、
前記体積内の所定の位置であるレシーバ位置においてノイズがもたらされる際の、レシーバ位置に置いて生じる複数のノイズ源の寄与を決定することと、
ディスプレイデバイスに表示され、前記体積中、かつ、前記レシーバ位置へのノイズ源の分布を示すデータを出力することと、
を実行させる、ことを特徴とするシステム。
【請求項３６】
前記システムは、
伝達関数を前記複数のノイズ源の各々に適用する命令により前記寄与を決定し、前記伝達関数は、前記ノイズ源のそれぞれの位置と前記レシーバの前記所定の位置との間の関係に基づいて前記寄与を決定する、請求項３５に記載のシステム。
【請求項３７】
前記複数のノイズ源の各々に適用される伝達関数は、周波数依存伝達関数である、請請求項３５に記載のシステム。
【請求項３８】
前記複数のノイズ源のうちの少なくともいくつかを結合して１又は２以上のノイズ源のクラスタにすることをさらに含み、前記ノイズ源は、少なくとも部分的に、前記ノイズ源のそれぞれの前記寄与に基づいてクラスタ化される、請求項３５に記載のシステム。
【請求項３９】
前記１又は２以上のノイズ源の寄与の各々の強度を、前記クラスタに含まれるものに対する閾値と比較する命令をさらに含む、請求項３８に記載のシステム。